(57)【要約】【課題】好気槽から無酸素槽への返送に必要なポンプ機構の動力を低減でき、効率の良い処理を行える汚水処理設備を提供する。【解決手段】  好気槽３０に、無酸素槽２０から流入する被処理水を受け入れる第一領域３１と、第一領域３１から流入した被処理水を隔壁に導く第二領域３２とに、被処理水の流入方向に沿って好気槽３０を分離する分離壁３４が設けられ、少なくとも第一領域３１または第二領域３２の何れかに被処理水に散気する散気装置３５が設置されるとともに、第二領域３２の下流側にポンプ機構４０が備えられ、ポンプ機構４０が、隔壁２１の近傍に配置された揚水管４１と、揚水管４１に気泡を供給する散気装置４２と、気泡により揚水された被処理水を揚水管４１の上部から無酸素槽２０の上流側に移送する送水路４３を備えたエアリフトポンプ４４で構成されている。【選択図】図１
2011000555.tif 000002
【特許請求の範囲】
【請求項１】
微生物により被処理水を浄化処理する複数の処理槽が隔壁を介して連接され、下流側の処理槽に被処理水の一部を上流側の処理槽に返送するポンプ機構を備えている汚水処理設備であって、
下流側の処理槽に、上流側の処理槽から流入する被処理水を受け入れる第一領域と、第一領域から流入した被処理水を上流側の処理槽との隔壁に導く第二領域とに、下流側の処理槽を分離する分離壁を設けて、少なくとも第二領域の隔壁近傍にポンプ機構を備え、当該ポンプ機構が、隔壁の近傍に配置された揚水管と、揚水管に気泡を供給する散気装置と、気泡により揚水された被処理水を揚水管の上部から上流側に配置された処理槽に移送する送水路を備えたエアリフトポンプで構成されている汚水処理設備。
【請求項２】
嫌気性微生物により被処理水を脱窒する無酸素槽と、無酸素槽と隔壁を介して配置され、無酸素槽から流入する被処理水に含まれるアンモニアを好気性微生物で硝化する好気槽と、好気槽で硝化された被処理水の一部を無酸素槽に返送するポンプ機構を備えている汚水処理設備であって、
好気槽に、無酸素槽から流入する被処理水を受け入れる第一領域と、第一領域から流入した被処理水を隔壁に導く第二領域とに、好気槽を分離する分離壁を設けて、少なくとも第一領域または第二領域の何れかに被処理水に散気する散気装置を設置するとともに、第二領域の下流側にポンプ機構を備え、当該ポンプ機構が、隔壁の近傍に配置された揚水管と、揚水管に気泡を供給する散気装置と、気泡により揚水された被処理水を揚水管の上部から無酸素槽に移送する送水路を備えたエアリフトポンプで構成されている汚水処理設備。
【請求項３】
第一領域に被処理水を散気する散気装置を設置するとともに、第二領域に被処理水を固液分離する膜分離装置が設置されている請求項２記載の汚水処理設備。
【請求項４】
分離壁で分離された第一領域の容積が第二領域の容積より大きくなるように設定されている請求項３記載の汚水処理設備。
【請求項５】
被処理水の流入方向に沿って好気槽を分離する分離壁が二枚設けられ、第二領域が一対の第一領域の間に形成されている請求項３または４記載の汚水処理設備。
【請求項６】
無酸素槽の上流側に被処理水に含まれるＢＯＤ成分を除去する嫌気槽が隔壁を介して連設され、好気槽の被処理水がエアリフトポンプを介して無酸素槽に返送されるとともに、一部が嫌気槽に返送されるように構成されている請求項２から５の何れかに記載の汚水処理設備。
【請求項７】
嫌気性微生物により被処理水を脱窒する無酸素槽と、無酸素槽と隔壁を介して配置され、無酸素槽から流入する被処理水に含まれるアンモニアを好気性微生物で硝化する好気槽と、好気槽と隔壁を介して配置され、好気槽で硝化された被処理水を固液分離する膜分離装置が設置された膜分離槽と、膜分離槽の被処理水の一部を無酸素槽に返送するポンプ機構を備えている汚水処理設備であって、
膜分離槽に、好気槽から流入する被処理水を受け入れる第一領域と、第一領域から流入した被処理水を好気槽との隔壁に導く第二領域とに、膜分離槽を分離する分離壁を設けて、第二領域の隔壁近傍にポンプ機構を備え、当該ポンプ機構が、隔壁の近傍に配置された揚水管と、揚水管に気泡を供給する散気装置と、気泡により揚水された被処理水を揚水管の上部から無酸素槽に移送する送水路を備えたエアリフトポンプで構成されている汚水処理設備。
【請求項８】
上部空間の中央部に向けて上部が延出形成された側壁で区画される処理槽により被処理水を処理する汚水処理設備の改築方法であって、
少なくとも嫌気性微生物により被処理水を脱窒する無酸素槽と、無酸素槽と隔壁を介して配置され、無酸素槽から流入する被処理水に含まれるアンモニアを好気性微生物で硝化する好気槽を含む汚水処理経路が配置され、
好気槽に、無酸素槽から流入する被処理水を受け入れる一対の第一領域と、一対の第一領域の間に、第一領域から流入した被処理水を隔壁に導く第二領域が形成されるように、好気槽を分離する分離壁を設ける工程と、
第一領域に被処理水に散気する散気装置を設置する工程と、
第二領域に被処理水を固液分離する膜分離装置のろ過膜を、槽内と槽外の間で昇降自在に設置する工程と、
第二領域のうち膜分離装置の下流側に、隔壁の近傍に配置された揚水管と、揚水管に気泡を供給する散気装置と、気泡により揚水された被処理水を揚水管の上部から無酸素槽に移送する送水路を備えたエアリフトポンプを設置する工程を含む汚水処理設備の改築方法。
【請求項９】
汚水処理経路が複数並列に配置され、処理槽の上部空間の中央部に向けて上部が延出形成された断面Ｙ字形状の側壁によって各汚水処理経路に隣接する処理槽が区画される汚水処理設備に対して、各工程が適用される請求項８記載の汚水処理設備の改築方法。
【発明の詳細な説明】
【技術分野】
【０００１】
本発明は、嫌気性微生物により被処理水を脱窒する無酸素槽と、無酸素槽と隔壁を介して配置され、無酸素槽から流入する被処理水に含まれるアンモニアを好気性微生物で硝化する好気槽と、好気槽で硝化された被処理水の一部を無酸素槽に返送するポンプ機構を備えている汚水処理設備及び汚水処理設備の改築方法に関する。
【背景技術】
【０００２】
従来、被処理水である汚水中に含まれる有機性物質を除去する方法として、最初沈殿池でゴミや砂等が除去された上澄み水を反応槽に流入させ、反応槽に設置した散気装置によって被処理水の混合撹拌と酸素の供給を行ないながら活性汚泥よって有機性物質を分解処理し、有機性物質が分解処理された被処理水を最終沈殿池に流入させ、活性汚泥を沈殿させて被処理水を浄化する標準活性汚泥法が広く普及している。
【０００３】
このような標準活性汚泥法は、負荷変動に弱く、窒素やリンの除去率が比較的低い等の問題があるため、近年、脱窒性能の向上を目的として標準活性汚泥法に生物学的脱窒処理を組み込んだ硝化液循環活性汚泥法や、標準活性汚泥法のＢＯＤ成分除去、糸状性バルキング対策、脱リン性能の向上を目的として標準活性汚泥法に嫌気槽と生物学的脱窒処理を組み込んだ生物循環式嫌気好気法（Ａ２Ｏ法）が採用される例が増えてきている。
【０００４】
例えば、図１２に示すように、特許文献１には、無酸素槽７０と微生物固定化担体７１を内在する好気槽７２とを備え、好気槽７２で処理された被処理水の一部を無酸素槽７０に循環する循環経路７３を備えて構成される硝化液循環活性汚泥法を採用した汚水処理設備が提案されている。
【０００５】
また、図１３に示すように、特許文献２には、流入する被処理水中の懸濁物質を固液分離するろ過装置８０と、ろ過装置８０からろ過水を導入する無酸素槽８１と、この無酸素槽８１から混合液を導入する好気槽８２と、この好気槽８２の混合液の一部を無酸素槽８１に循環させる循環手段８３と、好気槽８２から混合液を導入して処理水と汚泥とに固液分離する固液分離装置８４と、ろ過装置８０から汚泥を導入して調質する汚泥調質槽８５と、この汚泥調質槽８５から分離液を導入し、且つ、固液分離装置８４から分離汚泥の一部を導入する嫌気槽８６を備え、嫌気槽８６の流出水が無酸素槽８１に導入される生物循環式嫌気好気法を採用した汚水処理設備が提案されている。
【０００６】
また、標準活性汚泥法、硝化液循環活性汚泥法、生物循環式嫌気好気法を採用した汚水処理設備では、好気槽から排出された被処理水と活性汚泥を分離するために最終沈殿池が備えられているが、最終沈殿池での分離効率が、活性汚泥の性状に大きく左右されるため、汚泥の沈降性を常に良好な状態に維持することに多くの労力が割かれるという問題があるため、好気槽の下流側に膜分離装置を設置した膜分離槽を設けた汚水処理設備も提案されている。
【先行技術文献】
【特許文献】
【０００７】
【特許文献１】特開２００２−２６３６８７号公報
【特許文献２】特開２０００−９３９９２号公報
【発明の概要】
【発明が解決しようとする課題】
【０００８】
上述の硝化液循環活性汚泥法を採用する汚水処理設備では、無酸素槽での脱窒効率を向上させるために、好気槽７２で硝化反応が十分に行われた被処理水を無酸素槽７０に返送するべく、槽外に設置された機械式の陸上ポンプ７５または槽内に設置された水中ポンプにより、好気槽７２の最下流側に設置された吸込み管７４から被処理水を吸込み、長い循環経路７３を介して無酸素槽７０の上流側に返送するポンプ機構を備えていた。
【０００９】
同様に、生物循環式嫌気好気法を採用する汚水処理設備でも、無酸素槽８１での脱窒効率を向上させるため、好気槽８２で硝化反応が十分に行われた被処理水を無酸素槽８１に返送するべく、好気槽８２の最下流側から被処理水を吸込み、長い循環手段８３を介して無酸素槽８１の上流側に返送するポンプ機構を備えていた。
【００１０】
しかし、好気槽から無酸素槽に被処理水を返送するために必要となる揚程は比較的低く、そのような低揚程に対応する機械式のポンプが存在しないため、実際にはオーバースペックとなるポンプを使用せざるを得ず、好気槽の最下流側から長い循環経路を介して無酸素槽の上流側に被処理水を返送する場合には、配管抵抗の増大等により全揚程が上昇することも相俟って必要以上の動力を消費するという問題や、送水量を調整するためのバルブを返送管に設置する等、部品点数が増加するという問題もあった。
【００１１】
また、何れの汚水処理設備でも、無酸素槽と好気槽を備えた被処理水の処理経路が複数並列して配置されている場合には、配管の設置スペースが限られることから、槽外に設置された一台の陸上ポンプにより各好気槽の最下流側から分岐管を介して夫々被処理水を吸込み、一本の合流管で無酸素槽の上流側に送水した後に、分岐管を介して各無酸素槽に返送するポンプ機構が設けられていたが、処理経路毎に好気処理の程度が異なる被処理水を合流管で混合した後に各無酸素槽に返送される結果、各処理経路で浄化処理にばらつきが発生し、浄化処理効率が低下する虞があるという問題もあった。
【００１２】
そこで、ポンプ動力の低減や配管スペースの低減等の目的のために、機械式のポンプに替えてエアリフトポンプを用いたポンプ機構が設置される場合もある。
【００１３】
しかし、エアリフトポンプを用いて、好気槽の最下流側から長い循環経路を介して無酸素槽の上流側に被処理水を返送する場合には、配管抵抗の増大等により全揚程が上昇し、所定量の被処理水を返送するために必要となる散気量が増大し、その結果、溶存酸素濃度が高い被処理水が無酸素槽に返送され、無酸素槽での脱窒効率が低減する虞があるという問題があった。
【００１４】
また、上述した膜分離槽を設けた汚水処理設備であっても、膜分離槽の最下流側から長い循環経路を介して無酸素槽の上流側に被処理水を返送する必要があり、同様の問題があった。
【００１５】
本発明の目的は、上述した問題点に鑑み、好気槽から無酸素槽への返送に必要なポンプ機構の動力を低減でき、効率の良い処理を行える汚水処理設備を提供する点にある。
【課題を解決するための手段】
【００１６】
上述の目的を達成するため、本発明による汚水処理設備の第一特徴構成は、特許請求の範囲の請求項１に記載した通り、微生物により被処理水を浄化処理する複数の処理槽が隔壁を介して連接され、下流側の処理槽に被処理水の一部を上流側の処理槽に返送するポンプ機構を備えている汚水処理設備であって、下流側の処理槽に、上流側の処理槽から流入する被処理水を受け入れる第一領域と、第一領域から流入した被処理水を上流側の処理槽との隔壁に導く第二領域とに、下流側の処理槽を分離する分離壁を設けて、少なくとも第二領域の隔壁近傍にポンプ機構を備え、当該ポンプ機構が、隔壁の近傍に配置された揚水管と、揚水管に気泡を供給する散気装置と、気泡により揚水された被処理水を揚水管の上部から上流側に配置された処理槽に移送する送水路を備えたエアリフトポンプで構成されている点にある。
【００１７】
上述の構成によれば、上流側の処理槽から下流側の処理槽に流入する被処理水が、第一領域に流入し、上流側の処理槽との隔壁と接する第二領域の最下流側に設置されたポンプ機構により無酸素槽に返送されるようになる。このように被処理水は第二領域の最下流側に設置されたポンプ機構により無酸素槽に返送されるので被処理水の返送経路となる配管を短く、且つ、構造を簡素化することができるので、被処理水の返送に必要なポンプ機構の動力を低減することができる。
【００１８】
さらに、ポンプ機構がエアリフトポンプで構成されているため、機械式のポンプを用いたポンプ機構よりも被処理水の送水に必要な動力を大幅に低減することができ、エアリフトポンプは機械式のポンプより安価に製造することができるため、イニシャルコストを低減することもできる。特に、揚水のための動力源（散気装置）を水面下に設けることができ、水面上のスペースが限られている設備に採用する場合に有効である。
【００１９】
同第二の特徴構成は、同請求項２に記載した通り、嫌気性微生物により被処理水を脱窒する無酸素槽と、無酸素槽と隔壁を介して配置され、無酸素槽から流入する被処理水に含まれるアンモニアを好気性微生物で硝化する好気槽と、好気槽で硝化された被処理水の一部を無酸素槽に返送するポンプ機構を備えている汚水処理設備であって、好気槽に、無酸素槽から流入する被処理水を受け入れる第一領域と、第一領域から流入した被処理水を隔壁に導く第二領域とに、好気槽を分離する分離壁を設けて、少なくとも第一領域または第二領域の何れかに被処理水に散気する散気装置を設置するとともに、第二領域の下流側にポンプ機構を備え、当該ポンプ機構が、隔壁の近傍に配置された揚水管と、揚水管に気泡を供給する散気装置と、気泡により揚水された被処理水を揚水管の上部から無酸素槽に移送する送水路を備えたエアリフトポンプで構成されている点にある。
【００２０】
上述の構成によれば、無酸素槽から好気槽に流入する被処理水が、第一領域に流入し、少なくとも第一領域または第二領域の何れかに備えられた散気装置による散気によって硝化処理され、硝化処理された被処理水の一部が、無酸素槽との隔壁と接する第二領域の最下流側に設置されたポンプ機構により無酸素槽に返送されるようになる。このように被処理水は第二領域の最下流側に設置されたポンプ機構により無酸素槽に返送されるので被処理水の返送経路となる配管を短く、且つ、構造を簡素化することができるので、被処理水の返送に必要なポンプ機構の動力を低減することができる。
【００２１】
また、例えば、無酸素槽、好気槽の処理経路が複数並列して配置されている場合であっても、夫々の好気槽の被処理水を夫々のポンプ機構、つまり夫々の好気槽に設置された安価、且つ、水面上に設置スペースが必要とならないエアリフトポンプ機構によって、夫々の無酸素槽に返送して、夫々の無酸素槽、好気槽の処理経路で独立して浄化処理が行なわれるので、複数の無酸素槽からの返送水が混合された後に各無酸素槽で分離して返送されるような大動力の陸上ポンプ機構を用いる場合と比較して、各処理槽での浄化処理効率を低下させることなく、しかも動力コストを大幅に低下させることもできるようになる。
【００２２】
さらに、ポンプ機構がエアリフトポンプで構成されているため、機械式のポンプを用いたポンプ機構よりも被処理水の送水に必要な動力を大幅に低減することができ、エアリフトポンプは機械式のポンプより安価に製造することができるため、イニシャルコストを低減することもできる。特に、揚水のための動力源（散気装置）を水面下に設けることができ、水面上のスペースが限られている設備に採用する場合に有効である。
【００２３】
また、好気槽で硝化された被処理水の一部を無酸素槽に返送する経路を短く構成できるため、被処理水の返送量に対応するエアリフトポンプへの散気量が低減できるので、返送された被処理水に含まれる酸素によって、無酸素槽の溶存酸素濃度が高くなり脱窒反応を低下させるような不都合な事態の発生を極力回避することができる。
【００２４】
同第三の特徴構成は、同請求項３に記載した通り、上述の第二特徴構成に加えて、第一領域に被処理水を散気する散気装置を設置するとともに、第二領域に被処理水を固液分離する膜分離装置が設置されている点にある。
【００２５】
上述の構成によれば、第一領域に備えられた被処理水を散気する散気装置により被処理水が硝化処理され、さらに、第二領域に膜分離装置を備えることにより、汚泥の管理が容易、好気槽内の汚泥を高濃度に維持でき、最終沈殿池が不要になるので施設がコンパクトになる等の利点がある。
【００２６】
同第四の特徴構成は、同請求項４に記載した通り、上述の第三特徴構成に加えて、分離壁で分離された第一領域の容積が第二領域の容積より大きくなるように設定されている点にある。
【００２７】
上述の構成によれば、第一領域の容積が第二領域の容積より大きく設定することで、好気槽の容積が限られた容積である場合でも、第一領域で十分な好気処理を行うことができる。
【００２８】
同第五の特徴構成は、同請求項５に記載した通り、上述の第三または第四特徴構成に加えて、被処理水の流入方向に沿って好気槽を分離する分離壁が二枚設けられ、第二領域が一対の第一領域の間に形成されている点にある。
【００２９】
上述の構成によると、第二領域を挟む第一領域の夫々に、無酸素槽から被処理水が流入し、第一領域で硝化処理された被処理水が膜分離装置が設置された第二領域で合流し、無酸素槽との隔壁と接する第二領域の最下流側に設置されたエアリフトポンプにより被処理水の一部が無酸素槽に返送されるようになる。
【００３０】
第二領域に設置される膜分離装置に備えたろ過膜は、清掃等のメンテナンスの際に、槽内から上方の槽外に引き上げる必要がある。しかし、既存の標準活性汚泥法、硝化液循環活性汚泥法、生物循環式嫌気好気法を採用した汚水処理設備では、例えば、作業員の通路や、散気装置への給気配管等の設置スペースのために、各処理槽の側壁上部から各槽上部空間の中央部に向けて、天面が延出形成されている場合が多い。そのような場合に、側壁に接して第二領域を配置すると、ろ過膜を上方に引き上げる際に、延出形成された天面と干渉する虞がある。
【００３１】
このような場合でも、一対の第一領域の間に形成された第二領域に膜分離装置を設置すれば、天面と干渉することなくろ過膜を上方に引き上げてメンテナンスすることができるようになる。
【００３２】
同第六の特徴構成は、同請求項６に記載した通り、上述の第二から第五の何れかの特徴構成に加えて、無酸素槽の上流側に被処理水に含まれるＢＯＤ成分を除去する嫌気槽が隔壁を介して連設され、好気槽の被処理水がエアリフトポンプを介して無酸素槽に返送されるとともに、一部が嫌気槽に返送されるように構成されている点にある。
【００３３】
上述の構成によれば、無酸素槽で脱窒処理され硝酸性窒素、亜硝酸性窒素を含まず、酸素が消費された被処理水が嫌気槽に返送されるので、嫌気槽でのリンの放出条件である無ＮＯｘ及び無酸素状態が保たれる。その結果、嫌気槽ではリン化合物が正リン酸として効率的に放出され、放出された正リン酸が後段の好気槽において嫌気槽で放出した以上に活性汚泥に取り込まれることにより、被処理水からリンを高度に除去することが可能となる。
【００３４】
同第七の特徴構成は、同請求項７に記載した通り、嫌気性微生物により被処理水を脱窒する無酸素槽と、無酸素槽と隔壁を介して配置され、無酸素槽から流入する被処理水に含まれるアンモニアを好気性微生物で硝化する好気槽と、好気槽と隔壁を介して配置され、好気槽で硝化された被処理水を固液分離する膜分離装置が設置された膜分離槽と、膜分離槽の被処理水の一部を無酸素槽に返送するポンプ機構を備えている汚水処理設備であって、膜分離槽に、好気槽から流入する被処理水を受け入れる第一領域と、第一領域から流入した被処理水を好気槽との隔壁に導く第二領域とに、膜分離槽を分離する分離壁を設けて、第二領域の隔壁近傍にポンプ機構を備え、当該ポンプ機構が、隔壁の近傍に配置された揚水管と、揚水管に気泡を供給する散気装置と、気泡により揚水された被処理水を揚水管の上部から無酸素槽に移送する送水路を備えたエアリフトポンプで構成されている点にある。
【００３５】
上述した構成によれば、膜分離槽から無酸素槽へ処理水の一部を返送する場合であっても、膜分離槽の第二領域の最下流側、つまり好気槽との隔壁近傍に設置されたポンプ機構により無酸素槽に返送されるので被処理水の返送経路となる配管を短く、且つ、構造を簡素化することができるので、被処理水の返送に必要なポンプ機構の動力を低減することができる。
【００３６】
本発明による汚水処理設備の改築方法の特徴構成は、同請求項８に記載した通り、上部空間の中央部に向けて上部が延出形成された側壁で区画される処理槽により被処理水を処理する汚水処理設備の改築方法であって、少なくとも嫌気性微生物により被処理水を脱窒する無酸素槽と、無酸素槽と隔壁を介して配置され、無酸素槽から流入する被処理水に含まれるアンモニアを好気性微生物で硝化する好気槽を含む汚水処理経路が配置され、好気槽に、無酸素槽から流入する被処理水を受け入れる一対の第一領域と、一対の第一領域の間に、第一領域から流入した被処理水を隔壁に導く第二領域が形成されるように、好気槽を分離する分離壁を設ける工程と、第一領域に被処理水に散気する散気装置を設置する工程と、第二領域に被処理水を固液分離する膜分離装置のろ過膜を、槽内と槽外の間で昇降自在に設置する工程と、第二領域のうち膜分離装置の下流側に、隔壁の近傍に配置された揚水管と、揚水管に気泡を供給する散気装置と、気泡により揚水された被処理水を揚水管の上部から無酸素槽に移送する送水路を備えたエアリフトポンプを設置する工程を含む点にある。
【００３７】
上述の構成によれば、膜分離式活性汚泥法を採用していない既存の標準活性汚泥法、硝化液循環活性汚泥法、生物循環式嫌気好気法を採用した汚水処理設備に対して、膜分離装置が設置された膜分離式活性汚泥法を採用する汚水処理設備に改築する場合に、例えば、作業員の通路や、散気装置への給気配管等の設置スペースのために、処理槽の上部空間の中央部に向けて上部が延出形成された側壁によって区画されるような側壁構造であっても、一対の第一領域で挟まれる第二領域、つまり側壁から離隔した中央領域にろ過膜を設置することにより、ろ過膜のメンテナンス等のために、ろ過膜を槽内と槽外の間で昇降させる場合に、側壁上部の延出部と干渉するようなことがない。そのため、既存の側壁上部の延出部を削り取るような大掛かりな工事が不要となる。
【００３８】
また、第二領域のうち膜分離装置の下流側にエアリフトポンプを設置することで、被処理水の移送経路を短くすることができるので、エアリフトポンプの動力を低減でき、効率の良い処理を行える汚水処理設備に改築することができる。
【００３９】
汚水処理設備の改築方法の第二の特徴構成は、同請求項９に記載した通り、汚水処理経路が複数並列に配置され、処理槽の上部空間の中央部に向けて上部が延出形成された断面Ｙ字形状の側壁によって各汚水処理経路に隣接する処理槽が区画される汚水処理設備に対して、各工程が適用される点にある。
【００４０】
複数の汚水処理経路が並列に配置される既存の汚水処理設備で、各汚水処理経路に隣接する処理槽が断面Ｙ字形状の側壁によって区画されているような場合に、本発明による改築方法が好適に使用できるのである。
【発明の効果】
【００４１】
以上説明した通り、本発明によれば、好気槽から無酸素槽への返送に必要なポンプ機構の動力を低減でき、効率の良い処理を行える汚水処理設備を提供することができるようになった。
【図面の簡単な説明】
【００４２】
【図１】本発明による汚水処理設備の平面視による説明図
【図２】本発明による汚水処理設備の第一領域側の断面視による説明図
【図３】本発明による汚水処理設備の第二領域側の断面視による説明図
【図４】本発明による汚水処理設備に用いられるエアリフトポンプの説明図
【図５】別実施形態を示し、本発明による汚水処理設備の平面視による説明図
【図６】別実施形態を示し、本発明による汚水処理設備の切欠き斜視図
【図７】別実施形態を示し、本発明による汚水処理設備の好気槽の断面図
【図８】（ａ）は別実施形態を示し、本発明による汚水処理設備の平面視による説明図、（ｂ）は別実施形態を示し、本発明による汚水処理設備の平面視による説明図
【図９】（ａ）は別実施形態を示し、本発明による汚水処理設備の平面視による説明図、（ｂ）は別実施形態を示し、本発明による汚水処理設備の平面視による説明図
【図１０】（ａ）は別実施形態を示し、本発明による汚水処理設備の平面視による説明図、（ｂ）は別実施形態を示し、本発明による汚水処理設備の断面視による説明図、（ｃ）は別実施形態を示し、本発明による汚水処理設備の側面視による説明図
【図１１】（ａ）は別実施形態を示し、本発明による汚水処理設備の平面視による説明図、（ｂ）は別実施形態を示し、本発明による汚水処理設備の断面視による説明図、
【図１２】硝化液循環活性汚泥法を採用した従来の汚水処理設備の説明図
【図１３】生物循環式嫌気好気法を採用した従来の汚水処理設備の説明図
【発明を実施するための形態】
【００４３】
以下、本発明による汚水処理設備を説明する。
図１，図２，図３に示すように、汚水処理設備１は、未処理の被処理水である原水を流入させる嫌気槽１０と、嫌気槽１０の下流側に隔壁１１を介して連接され、嫌気性微生物により被処理水を脱窒する無酸素槽と２０と、無酸素槽２０の下流側に隔壁２１を介して配置され、無酸素槽２０から流入する被処理水に含まれるアンモニアを好気性微生物で硝化する好気槽３０と、好気槽３０で硝化された被処理水の一部を無酸素槽２０に返送するポンプ機構４０を備えている。
【００４４】
嫌気槽１０では、嫌気条件下で微生物により嫌気処理され、原水に含まれるＢＯＤ成分が微生物に取り込まれるとともに、リン化合物が加水分解されて正リン酸としてリンが液中に放出される。嫌気槽１０で嫌気処理された被処理水は、隔壁１１の下部に形成された連通口１２を介して無酸素槽２０へ移送される。
【００４５】
無酸素槽２０では、嫌気条件下で微生物により嫌気処理され、脱窒処理つまり硝酸イオン及び亜硝酸イオンの窒素ガスへの還元処理が行われる。無酸素槽２０で嫌気処理された被処理水は、隔壁２１の下部に形成された連通口２２を介して好気槽３０へ移送される。
【００４６】
好気槽３０に、無酸素槽２０から流入する被処理水を受け入れる第一領域３１と、第一領域３１から流入した被処理水を隔壁２２に導く第二領域３２とに、被処理水の流入方向に沿って好気槽３０を分離する分離壁３４を設けて、第一領域３１に被処理水に散気する複数の散気装置３５を設置するとともに、第二領域３２に被処理水を固液分離する複数の膜分離装置３６を設置し、第二領域３２の下流側にポンプ機構４０が設置されている。尚、分離壁３４は、その上縁が水面より上方に突出する略垂直壁で構成され、基端側が隔壁２１と接合され、他端側が好気槽３０内で開放されている。
【００４７】
第一領域３１では、散気装置３５による散気による好気条件下で、被処理水に含まれるし尿等由来のアンモニウムイオンが微生物により酸化され、亜硝酸や硝酸に変換される硝化処理が行われ、さらに、被処理水中の正リン酸が汚泥に取り込まれ、ポリリン酸として蓄積される好気性処理が行われる。
【００４８】
第二領域３２では、膜分離装置３６により被処理水から活性汚泥等の固形物が分離され、分離された被処理水が、送水管３７によって後段の被処理水槽（図示せず）に排出される。尚、膜分離装置３６に用いられる分離膜として、限外ろ過膜、精密ろ過膜等が好ましく採用される。膜の形態は、平膜、中空糸膜、チューブラー膜などが好ましく採用される。
【００４９】
尚、分離壁３４で分離された第一領域３１の容積は、第二領域３２の容積より大きくなるように設定されている。特に、第一領域３１の容積が第二領域３２の容積の２倍程度大きくなるように分離壁３４を形成することが好ましい。このように構成することで、第一領域３１で好気処理が良好に行われる。
【００５０】
複数の膜分離装置３６の下部には、夫々の膜分離装置３６の膜表面に付着する汚泥を除去洗浄する曝気装置３８が配設されている。第二領域３２では、曝気装置３８から供給される空気により、好気条件下で活性汚泥により硝化処理が行われる。第二領域３２の活性汚泥は、引抜管３９により余剰汚泥として排出される。
【００５１】
第一領域３１で好気性処理が行われた被処理水が、分離壁３４の他端側の開放部から第二領域３２に向けてＵ字状に流下するように構成されているため、散気装置３５からの散気の流れ、曝気装置３８からの散気の流れが相互に干渉することによる被処理水の流れの乱れが発生することが無い。
【００５２】
図３，４に示すようにポンプ機構４０は、隔壁２１の近傍に配置された揚水管４１と、ブロワにより揚水管４１に気泡を供給する散気装置４２と、気泡により揚水された被処理水を揚水管４１の上部から無酸素槽２０の上流側に移送する送水路４３を備えたエアリフトポンプ４４で構成されている。
【００５３】
散気装置４２は、無数の微孔が形成された複数本の短管が、揚水管４１の下部開口に対応配置され、送気管を介してフロワと接続されている。
【００５４】
好気槽３０で硝化処理された被処理水はエアリフトポンプ４４で無酸素槽２０の上流側に返送される。これにより、好気槽３０の硝化処理により被処理水に含まれる硝酸イオン及び亜硝酸イオンが、無酸素槽２０へ循環されて、脱窒処理が行われる。
【００５５】
尚、エアリフトポンプ４４は、架台４５によって隔壁２１の近傍の適当な位置に設置される。
【００５６】
エアリフトポンプ４４を、隔壁２１の近傍に配置して送水路４３を短く、つまり全揚程を短くすることで、被処理水の送水に必要な散気量、つまりブロワの動力を低減することができ、また、散気量を減らすことで溶存酸素濃度が高い被処理水が無酸素槽２０に流れ込むことを防止できるので、無酸素槽２０の脱窒効率を低減させる虞を低減することができる。
【００５７】
さらに、エアリフトポンプ４４を介して無酸素槽２０に返送された被処理水の一部は送水路２３を介して嫌気槽１０に返送される。リンを取り込んだ好気槽３０内の微生物が送水路２３を介して嫌気槽１０へ循環されて、正リン酸としてリンが液中に放出される。
【００５８】
好気槽３０から活性汚泥を含む被処理水が無酸素槽２０に返送され、無酸素槽２０から被処理水が嫌気槽１０に返送されるように構成されているため、無酸素槽２０で脱窒処理され硝酸性窒素、亜硝酸性窒素を含まず、酸素が消費された被処理水が嫌気槽１０に返送され、嫌気槽１０でのリンの放出条件である無ＮＯｘ及び無酸素状態を維持することができる。
【００５９】
よって、嫌気槽１０ではリン化合物が正リン酸として効率的に放出され、放出された正リン酸が後段の好気槽３０において嫌気槽１０で放出した量以上に活性汚泥に取り込まれることにより、被処理水からリンを高度に除去することが可能となる。
【００６０】
以上の構成により、好気槽３０から無酸素槽２０への返送にかかるポンプ機構４０の動力を低減でき、効率の良い処理が行えるのである。
【００６１】
尚、上述した実施形態では、詳述していないが、嫌気槽１０及び無酸素槽２０には、夫々の処理が均一に行われるように、被処理水を撹拌する撹拌機構を備えている。
【００６２】
次に、本発明による別実施形態を説明する。
【００６３】
上述した実施形態では、上流側の処理槽の被処理水が、隔壁の下部に形成された連通口を介して下流側の処理槽に流入する例を説明したが、上流側の処理槽の被処理水が、隔壁をオーバーフローして下流側の処理槽に流入するように構成してもよい。この場合、第二領域と上流側の無酸素槽との間の隔壁は、水面より上方に突出形成され、無酸素槽から第二領域に流入することがないように構成すればよい。
【００６４】
上述した実施形態では、好気槽３０に一枚の分離壁３４を備えた構成について説明したが、図５，図６に示すように、好気槽３０を分離する分離壁３４ａ，３４ｂが被処理水の流入方向に沿って二枚設けられ、第二領域３２を一対の第一領域３１ａ，３１ｂの間に形成してもよい。尚、図５，図６では、膜分離装置３６で分離された被処理水の送水管３７及び第二領域３２の活性汚泥の引抜管３９の記載は省略する。
【００６５】
膜分離装置３６のろ過膜は、メンテナンスの際に槽内から槽外に引き上げることができるように設置されること好ましいが、図７に示すように、既存の標準活性汚泥法、硝化液循環活性汚泥法、生物循環式嫌気好気法を採用した汚水処理設備の好気槽３０に、膜分離装置３６を設置する場合、各処理槽の形状によっては、例えば、作業員の通路や、散気装置への給気配管等の設置スペースのために好気槽の側壁上部から、好気槽上部空間の中央部に向けて天面５１が延出形成され、開口５２が中央部のみしかない場合がある。
【００６６】
このような場合でも、一対の第一領域の間に形成された第二領域に膜分離装置を設置すれば、天面と干渉することなく、開口５２から膜分離装置３６のろ過膜を引き上げてメンテナンスすることが可能となる。
【００６７】
特に、膜分離式活性汚泥法を採用していない既存の標準活性汚泥法、硝化液循環活性汚泥法、生物循環式嫌気好気法を採用した汚水処理設備に対して膜分離装置が設置された膜分離式活性汚泥法を採用する汚水処理設備に改築する場合等に好適である。
【００６８】
このような既存の汚水処理設備では、作業員の通路や、散気装置への給気配管等の設置スペースのために、上部が槽上部空間の中央部に向けて天面が延出形成された断面Ｙ字形状の側壁によって区画されるような側壁構造が採用される場合が多いためである。
【００６９】
上部空間の中央部に向けて上部が延出形成された側壁で区画される処理槽により被処理水を処理する汚水処理設備を改築する場合には、少なくとも嫌気性微生物により被処理水を脱窒する無酸素槽と、無酸素槽と隔壁を介して配置され、無酸素槽から流入する被処理水に含まれるアンモニアを好気性微生物で硝化する好気槽を含む汚水処理経路が配置され、好気槽に、無酸素槽から流入する被処理水を受け入れる一対の第一領域と、一対の第一領域の間に、第一領域から流入した被処理水を隔壁に導く第二領域が形成されるように、被処理水の流入方向に沿って好気槽を分離する分離壁を設ける工程と、第一領域に被処理水に散気する散気装置を設置する工程と、第二領域に被処理水を固液分離する膜分離装置のろ過膜を、槽内と槽外の間で昇降自在に設置する工程と、第二領域のうち膜分離装置の下流側に、隔壁の近傍に配置された揚水管と、揚水管に気泡を供給する散気装置と、気泡により揚水された被処理水を揚水管の上部から無酸素槽に移送する送水路を備えたエアリフトポンプを設置する工程により好適に改築できる。
【００７０】
一対の第一領域で挟まれる第二領域、つまり側壁から離隔した中央領域にろ過膜を設置することにより、ろ過膜のメンテナンス等のために、ろ過膜を槽内と槽外の間で昇降させる場合に、側壁上部の延出部と干渉するようなことがないため、既存の側壁上部の延出部を削り取るような大掛かりな工事が不要となるためである。
【００７１】
汚水処理経路が複数並列に配置され、処理槽の上部空間の中央部に向けて上部が延出形成された断面Ｙ字形状の側壁によって各汚水処理経路に隣接する処理槽が区画される汚水処理設備に対して、各工程が適用されることが特に好ましい。
【００７２】
上述した実施形態では、第二領域３２内の被処理水を無酸素槽２０へ返送するポンプ機構４０と、無酸素槽２０内の被処理水を嫌気槽１０へ返送する送水路２３を備えた構成について説明したが、当該返送路２３を備えずに、ポンプ機構で送水した第二領域３２の被処理水を、無酸素槽２０と嫌気槽１０の夫々に所定量返送するように構成してもよい。
【００７３】
上述のエアリフトポンプ４４は、散気装置４２を揚水管４１の下部に設置する構成について説明したが、散気装置４２は必ずしも揚水管４１の下部にする必要はなく、揚水管４１の管壁側面に形成した開口から管内に気泡を供給するように構成してもよい。
【００７４】
また、ポンプ機構としてのエアリフトポンプは、微生物を担持する担体を循環供給する場合に、機械式のポンプのようにインペラで担体を破損する虞が無い点で好ましいが、微生物を担持する担体を用いずに活性汚泥を循環供給する場合は、機械式の水中ポンプを第二領域に設置して被処理水の一部を返送するように構成してもよい。
【００７５】
上述した実施形態では、本発明が膜分離装置を備えた膜分離式活性汚泥法に適用される構成について説明したが、図８（ａ）に示す循環式消化脱窒法や、図８（ｂ）に示すように、膜分離装置を設けない生物循環式嫌気好気法に適用することも可能である。
【００７６】
上述した実施形態では、図９（ａ），（ｂ）に示すように、第一領域３１内に第一領域３１をさらに区画する区画壁５０を備え、区画壁５０で区画された領域の夫々に散気装置３５を設置し、区画された領域を被処理水が蛇行するように構成してもよい。このように構成することで、被処理水が第一領域３１を通過時間がのび、散気装置によって確実に散気され、好気処理の効率があがる。
【００７７】
尚、区画壁５０は、無酸素槽２０から第一領域３１に流入する被処理水の流入方向に沿って備える場合に限らず、被処理水の流入方向に対して、例えば、直角方向に備えてもよい。
【００７８】
また、第二領域３２も同様に被処理水を蛇行させるように区画壁を備えて、区画壁で区画された領域の夫々に膜分離装置を備えて、区画された第二領域の最下流側にエアリフトポンプを設置するように構成してもよい。
【００７９】
上述した実施形態では、分離壁３４は、無酸素槽２０から流入する被処理水を受け入れる第一領域３１と、第一領域３１から流入した被処理水を隔壁２２に導く第二領域３２とに、被処理水の流入方向に沿って好気槽３０を分離し、その上縁が水面より上方に突出する一枚または二枚の略垂直壁で構成され、基端側が隔壁２１と接合され、他端側が好気槽３０内で開放されている構成について説明したが、図１０（ａ），（ｂ），（ｃ）に示すように、分離壁３４を、無酸素槽２０と好気槽３０の隔壁２１の中央下部に形成された開口２２から好気槽３０内に延出形成し、被処理水の通水路となるような形状、つまり、槽内を上下に仕切る分離壁に構成してもよい。この場合、好気槽３０の分離壁３４に囲まれた被処理水の通水路内部が第一領域３１となり、その周囲が第二領域３２となり、隔壁２１の近傍にポンプ機構４０が設置される。
【００８０】
そして、第二領域３２であって、分離壁３４で囲まれる通水路の周囲であって、通水路と平行に被処理水を散気する散気装置３５を設置するとともに、分離壁３４で囲まれる通水路の上部に被処理水を固液分離する膜分離装置３６が設置されるように構成されていてもよい。尚、散気装置３５は必ずしも第二領域３２に設置する必要はなく、分離壁３４で囲まれる通水路内部の第一領域３１に設置してもよい。
【００８１】
さらに、図１１（ａ），（ｂ）に示すように、嫌気性微生物により被処理水を脱窒する無酸素槽２０と、無酸素槽２０と隔壁２１を介して配置され、無酸素槽２０から流入する被処理水に含まれるアンモニアを好気性微生物で硝化する好気槽３０と、好気槽３０と隔壁３４を介して配置され、好気槽３０で硝化された被処理水を固液分離する膜分離装置３６が設置された膜分離槽５５と、膜分離槽５５の被処理水の一部を無酸素槽２０に返送するポンプ機構を備えている汚水処理設備では、膜分離槽５５に、好気槽３０から流入する被処理水を受け入れる第一領域と、第一領域３１から流入した被処理水を好気槽３０との隔壁５６に導く第二領域３２とに、被処理水の流入方向に沿って膜分離槽５５を分離する分離壁３４を設けて、第二領域３２の隔壁５６近傍に上述のエアリフトポンプ４４を備え、エアリフトポンプ４４により被処理水の一部を無酸素槽２０に返送するように構成することもできる。
【００８２】
この場合、第二領域３２に膜分離装置３６が設置される。第一領域３１は単に流路として機能するように構成してもよいし、散気装置３５を設置してもよい。
【００８３】
このような構成を採用する場合にも、被処理水の返送経路となる配管を短く、且つ、構造を簡素化することができるので、被処理水の返送に必要なポンプ機構の動力を低減することができる。
【００８４】
尚、分離壁３４は、図１で説明したような垂直壁や、図１０で説明したような槽内を上下に仕切る分離壁３４の何れを採用してもよい。
【００８５】
つまり、本発明による汚水処理設備は、微生物により被処理水を浄化処理する複数の処理槽が隔壁を介して連接され、下流側の処理槽に被処理水の一部を上流側の処理槽に返送するポンプ機構を備えている汚水処理設備に適用でき、下流側の処理槽に、上流側の処理槽から流入する被処理水を受け入れる第一領域と、第一領域から流入した被処理水を上流側の処理槽との隔壁に導く第二領域とに、被処理水の流入方向に沿って下流側の処理槽を分離する分離壁を設けて、少なくとも第二領域の隔壁近傍にポンプ機構を備え、当該ポンプ機構が、隔壁の近傍に配置された揚水管と、揚水管に気泡を供給する散気装置と、気泡により揚水された被処理水を揚水管の上部から上流側に配置された何れかの処理槽に移送する送水路を備えたエアリフトポンプで構成されていればよい。
【００８６】
上述した実施形態は、何れも本発明の一例であり、当該記載により本発明が限定されるものではなく、各部の具体的構成は本発明の作用効果が奏される範囲で適宜変更設計可能であることはいうまでもない。
【符号の説明】
【００８７】
１０：嫌気槽
２０：無酸素槽
３０：好気槽
３１：第一領域
３２：第二領域
３６：膜分離装置
４０：ポンプ機構
４４：エアリフトポンプ
【図１】
2011000555.tif 000003
【図２】
2011000555.tif 000004
【図３】
2011000555.tif 000005
【図４】
2011000555.tif 000006
【図５】
2011000555.tif 000007
【図６】
2011000555.tif 000008
【図７】
2011000555.tif 000009
【図８】
2011000555.tif 000010
【図９】
2011000555.tif 000011
【図１０】
2011000555.tif 000012
【図１１】
2011000555.tif 000013
【図１２】
2011000555.tif 000014
【図１３】
2011000555.tif 000015